(57)【要約】【技術課題】  温水マットを上下方向に並べて敷設したときに、この接続領域に温度不足が発生するのを防止する温水パイプの配管レイアウトを可能とする床暖房用温水マットを提供する。【解決手段】  １枚の温水マット本体１は、縦と横の寸法を３０３ｍｍ×ｎ倍に設定し、このマット本体１には、縦方向を向いた小根太６を配置する。そして、前記小根太６は、温水マット本体１の左右両端に直近のものは、左右両端から夫々１５１．５ｍｍの位置に設定し、小根太６の上下の先端と温水マット本体１の上下端間には、温水パイプを配管するために必要な間隔から成る横行配管スペース２ｃ、２ｅを形成する。  また、各小根太６の中程には、温水マット本体１の上下端から３０３ｍｍ×ｎ倍の位置に、温水パイプ７、７ａが隣のスペースに移行配管するために必要な間隔から成る移行配管スペース４ｄ、４ｅを形成する。【選択図】        図  １
2005291681.tif 000002
【特許請求の範囲】
【請求項１】
ａ．１枚の温水マット本体は、縦と横の寸法が３０３ｍｍ×ｎ倍に設定されていること、
ｂ．前記温水マット本体には、縦方向を向いた小根太が平行に並べて組み込まれているこ  と、
ｃ．前記小根太は、温水マット本体の左右両端に直近のものは、左右両端から小根太の中  心までの距離が夫々１５１．５ｍｍに設置されており、この左右両端の小根太間に設置  される小根太の中心間の間隔は、３０３ｍｍピッチに設定されていること、
ｄ．前記各小根太の上下の先端と温水マット本体の上下端間には、夫々横行きの温水パイ  プを配管するための横行配管スペースが形成されていること、
ｅ．各小根太の中程には、温水マット本体の上下端から３０３ｍｍ×ｎ倍の位置に、温水  パイプが隣のスペースに移行するために必要な間隔から成る移行配管スペースが形成さ  れていること、
ｆ．前記温水マット本体の左右両端の小根太と温水マット本体の左右端間及び各小根太間  及び前記横行配管スペース及び移行配管スペースには、往きと戻りの温水パイプが配管  されていること、
ｇ．前記温水マット本体及び小根太及び温水パイプの上面には放熱シートが貼り着けられ  ていること、
ｈ．を特徴とする床暖房用温水マット。
【請求項２】
請求項１において、各小根太の移行配管スペースは複数ヶ所に設けられていると共に、この移行配管スペースの間隔は、中心間の距離が３０３ｍｍピッチに設定されていること、を特徴とする床暖房用温水マット。
【請求項３】
請求項１又は２に記載の床暖房用の温水マットに用いられるフローリング床材の幅は、７５．７５ｍｍ又は１０１ｍｍ又は１５１．５ｍｍ又は３０３ｍｍであって、その長さは３０３ｍｍ×ｎ倍に設定されていること、を特徴とする床暖房用温水マット。
【発明の詳細な説明】
【技術分野】
【０００１】
本願発明は、一定幅の小根太を３０３ｍｍピッチでマット本体に配置し、この小根太間に温水パイプをループ状に配管すると共に、フローリング材を前記小根太に直交張りする施工方式を採用する床暖房用温水マットに関する。
【背景技術】
【０００２】
従来の小根太入り温水マットであって、放熱用の温水パイプを往き２本、戻り２本の計４を配管したものの例を図１０に示す。この図１０において、マット本体２００には、４５ｍｍ幅の小根太２０１が３０３ｍｍピッチで配置されていると共に、マット本体２００の左右両端２００ａとこの左右両端２００ａに直近の小根太２０１までの距離は２５８ｍｍに夫々設定されている。また、小根太２０１の上下先端の先であって、マット本体２００の上下端２００ｂには小々根太２０２が配置され、この小々根太２０２と小根太２０１間にはパイプ跨ぎ間隔２０３が形成されていて、このパイプ跨ぎ間隔２０３内は往復で計４本の温水パイプが跨ぐ構成となっている。図１０において、２０６は温水ヘッダーである。このような構成の温水マットは、規格化された大きさのものが多数用意されていて、現場の施工条件に合わせて１枚、あるいは２枚以上のマットが組み合わせて使用される。
【０００３】
したがって、２枚以上のマットを組み合わせて使用した場合、図１１に示すように、２枚のマット本体２００の両端２００ａに直近の小根太２０１間の距離は、２５８×２＝５１６ｍｍと大きくなり、この間に釘打ちの空白領域ができてしまう。
そこで、図１１に示すように、２枚のマットの両端２００ａの間に後付け小根太２０７をいちいち現場で配置している。このため、現場での作業が増加し、例えば集合住宅等の場合には工期にも大きく影響する。また、パイプ跨ぎ間隔２０３においては、４本のパイプが跨いでいるため、この間隔２０３は必然的に大きくなり、この分釘打ちの出来ない禁止領域が広くなる。
また、マットを上下方向に並べて使用する場合には、上記したパイプ跨ぎ間隔２０３が近接するため、釘打ち禁止領域が非常に広くなり、この分床強度の点で問題が発生する。
また、通常、規格化された温水マットの場合には、上記した釘打ち禁止領域には、間違って釘打ちがされないように「釘打ち厳禁」のシールを貼り付けたり、あるいはスタンプを押しているが、このシールを貼ったり、スタンプを押す面積と箇所が多い分マットの製作に手間とコストがかかる。
【０００４】
図１２は、従来の温水マットにおいて、マット本体３００に配管される温水パイプ３０４が１本の場合の例を示すもので、このような場合の小根太３０１、小々根太３０２の配置は図１０のマットと同じであり、パイプ跨ぎ間隔３０３のところでは温水パイプ３０４が２往復で計４本跨ぐ構成となっている。
このため、図１３に示すように、２枚のマットを左右に並べて用いる場合には、後付け小根太３０６をマット間に配置する必要があると共に、パイプ跨ぎ間隔３０３によって発生する釘打ち禁止領域の問題は図１０に示したマットの場合と同様に発生する。図１２、１３において、３０５は温水ヘッダーである。
【発明の開示】
【発明が解決しようとする課題】
【０００５】
そこで、本件出願人は、マット本体の左右端と直近の小根太の中心までの距離を１５１．５ｍｍに設定すると共に、マット本体の上下端と小根太の先端間の距離を１５１．５ｍｍに設定することを要旨とした発明を、特願２００３−３４５５１８号として出願している。
この出願の発明によると、釘打ち禁止領域を最小限に形成することは可能であるが、この発明は、小根太の先端の延長線上に小々根太を配置するマット本体が前提であるため、１枚で使用する場合、あるいは横方向に並べて敷設する場合は問題ないが、マット本体を縦方向に並べて敷設した場合、その接続側に夫々小々根太が配置されていることから、温水パイプはこの小々根太を迂回することが必要となる。
【０００６】
このため、マット本体を縦方向に並べて敷設した場合、この接続部分において温水パイプの配管密度が他の部分に比較して粗くなり、結果としてこの接続領域においては放熱量が少くなると云う問題がある。特に、マット本体を並べて敷設する場合には、部屋の中央部分にこの接続領域が来ることになることから、部屋の中央部分において十分な放熱温度が得られないと云う問題がある。
本発明は、斯る点に鑑みて提供されるものであって、その目的は、釘打ち禁止領域を最小に形成しながら、縦方向にマット本体を並べて敷設した場合であっても、この接続部分において放熱温度の低下を来さない温水パイプの配管レイアウトを可能とする床暖房用温水マットを提供することである。
【課題を解決するための手段】
【０００７】
上記目的を解決するため、請求項１に記載の発明においては、床暖房用温水マットにおいて、
ａ．１枚の温水マット本体は、縦と横の寸法が３０３ｍｍ×ｎ倍に設定されていること、
ｂ．前記温水マット本体には、縦方向を向いた小根太が平行に並べて組み込まれているこ  と、
ｃ．前記小根太は、温水マット本体の左右両端に直近のものは、左右両端から小根太の中  心までの距離が夫々１５１．５ｍｍに設定されており、この左右両端の小根太間に配置  される小根太の中心間の間隔は、３０３ｍｍピッチに設定されていること、
ｄ．前記各小根太の上下の先端と温水マット本体の上下端間には、夫々横行きの温水パイ  プを配管するための横行配管スペースが形成されていること、
ｅ．各小根太の中程には、温水マット本体の上下端から３０３ｍｍ×ｎ倍の位置に、温水  パイプが隣のスペースに移行するために必要な間隔から成る移行配管スペースが形成さ  れていること、
ｆ．前記温水マット本体の左右両端の小根太と温水マット本体の左右端間及び各小根太間  及び前記横行配管スペース及び移行配管スペースには、往きと戻りの温水パイプが配管  されていること、
ｇ．前記温水マット本体及び小根太及び温水パイプの上面には放熱シートが貼り着けられ  ていること、
ｈ．を特徴とするものである。
【０００８】
更に、請求項２に記載の発明においては、請求項１において、各小根太の移行配管スペースは複数ヶ所に設けられていると共に、この移行配管スペースの間隔は、中心間の距離が３０３ｍｍピッチに設定されていること、を特徴とするものである。
【０００９】
更に、請求項３に記載の発明においては、請求項１又は２に記載の床暖房用の温水マットに用いられるフローリング床材の幅は、７５．７５ｍｍ又は１０１ｍｍ又は１５１．５ｍｍ又は３０３ｍｍであって、その長さは３０３ｍｍ×ｎ倍に設定されていること、を特徴とするものである。
【発明の効果】
【００１０】
本発明に係る温水マットは、マット本体の上下端において、小々根太の組み込みを排除し、その代りとして、小根太の先端とマット本体の上下端間の距離（横行配管スペース）を、温水パイプが小根太の先端とマット本体の端との間において横切るのに必要な幅になるように設定した。
この結果、マット本体の縦方向の接続部分において、温水パイプの配管密度を小々根太により邪魔されていて高めることが出来なかった前記先願のマット本体に比較して、大幅に改善することができる。
よって、温水マットを上下方向に継ぎながら敷設した場合に、部屋の中央領域において温度が他の領域に比較して高まらないと云う問題が解消される。
また、本発明では、継ぎ合わせたマット本体間において、小根太の先端間の距離も最小となるように横行配管スペースを設定したことにより、釘打ち禁止領域も少くなり、床強度を先願の発明に比較して高めることができる。
【実施例】
【００１１】
上記した本発明（請求項１〜３）の実施例を図面を基に詳細に説明する。
図１は表面のアルミ箔シート（放熱シート）を剥した状態のマット本体を示すもので、図２は横行部マット板、図３は直線部マット板、図４は移行部マット板、図５はヘッダー部マット板、図６は小根太を示し、図７はＡ−Ａ線拡大断面図（但し、アルミ箔付）、図８はマット本体を縦方向に並べて敷設した時の説明図、図９は横方向に敷設した時の説明図である。
【００１２】
これら各図において、１はマット本体であって、このマット本体１は、横行部マット板２と直線部マット板３と移行部マット板４から成り、縦方向において両端に横行部マット板２が配置され、この内側に夫々直線部マット板３が配置され、この直線部マット板３間に渡り部マット板４が配置されて１枚のマット本体１を構成している。
そして、横行部マット板２にあっては、６０６ｍｍ幅のマット板２と３０３ｍｍ幅のマット板２ａで構成され、直線部マット板は６０６ｍｍ幅のマット板３と３０３ｍｍ幅のマット板３ａで構成され、移行部マット板４は６０６ｍｍ幅のマット板４と３０３ｍｍ幅のマット板４ａで構成されている。
【００１３】
更に、横行部マット板２、２ａは外端から切れ目ａまでの寸法は１５１．５ｍｍに設定され、直線部マット板３、３ａの寸法は４５４．５ｍｍに設定され、移行部マット板４、４ａの寸法は６０６ｍｍに設定されていて、実施例のマット本体１の寸法は、横が２７２７ｍｍ、縦が１８１８ｍｍとなっている。
更に、６０６ｍｍ幅の横行部マット板２にあっては、両側端から中心までの距離が１５１．５ｍｍに夫々設定された横行部小根太用切り込み２ｂが切れ目ａ側から形成されていると共に、この切り込み２ｂの先端と外端との間には、温水パイプがＵターンするための横行配管スペース２ｃが夫々形成されている。また、３０３ｍｍ幅の横行部マット板２ａにあっては、その中央に切れ目ａ側から横行部小根太用切り込み２ｄが形成されていると共に、この切り込み２ｄの先端と外端との間には、温水パイプがＵターンするための横行配管スペース２ｅが形成されている。
【００１４】
更に、直線部マット板３にあっては、両側から中心までの距離が１５１．５ｍｍに夫々設定された直線部小根太用切り込み３ｂが形成されている。
更に、３０３ｍｍ幅の直線部マット板３ａにあっては、その中央に直線部小根太用切り込み３ｃが形成されている。
更に、６０６ｍｍ幅の移行部マット板４にあっては、両側から中心までの距離が１５１．５ｍｍに夫々設定された移行部用短尺小根太用切り込み４ｂが夫々切れ目ｂ側から一定の長さ形成されていると共に、この切り込み４ｂ間には中間の移行部用中尺小根太用切り込み４ｃが形成され、その上で、切り込み４ｂと切り込み４ｃ間には、夫々移行配管スペース４ｄ、４ｅが形成され、この移行配管スペース４ｄ、４ｅの中心間の距離は３０３ｍｍに設定されている。したがって、移行部マット板４において、切れ目ｂと前記移行配管スペース４ｄ、４ｅの中心までの距離は、全体の長さが６０６ｍｍのため、１５１．５ｍｍである。
【００１５】
更に、３０３ｍｍ幅の移行部マット板４ａにあっては、移行部用短尺小根太用の切り込み４ｂと中尺用小根太用切り込み４ｃは幅方向の中央に形成されている。
更に、ヘッダー部マット板５は、その幅が６０６ｍｍで、長さも６０６ｍｍであって、両側から中心までの距離が１５１．５ｍｍのところにヘッダー部小根太用切り込み５ａが切れ目ｂ側から形成されていて、この切り込み５ａの先端とマット板５の外端の間には、温水パイプがＵターンするためのヘッダー部Ｕターンスペース５ｂが形成されていると共に、外端の中央には、内方に向けてヘッダー組み込み用切り込み５ｃが形成されている。
【００１６】
各マット板の寸法及び小根太用の切り込みは以上から成り、これら切り込みに挿入される小根太は、図６に示すように、横行部マット板２、２ａの切り込み２ｂ、２ｄに夫々先端が挿入され、直線部マット板３の切り込み３ｂに全体が挿入される長尺小根太６と、移行部マット板４の切り込み４ｃに挿入される中尺小根太６ａと、移行部マット板４の切り込み４ｂに挿入される短尺小根太６ｂの３種から成る。
７、７ａは温水パイプであって、この温水パイプ７、７ａは、図１に示すように、ヘッダーの往き口金に接続されたものが２本一緒になって小根太間を巡回しながらループ状に配管されていると共に、マットの中間においては、移行部マット板４の移行配管スペース４ｄ、４ｅのところで斜めに小根太間を移行するように配管されている。
【００１７】
図６において、８はマット本体１の上面に貼り付けられたアルミ箔、９はフローリング床材である。
図８に示す形態は、図１に示した温水マットを上下方向に２枚継いで敷設した例、図９は側方に２枚継いで敷設した例を示すもので、本発明によると、マットを上下に継いだ際の小根太６の先端の間隔は横行配管スペース分だけとなり、間隔は最小となる。
なお、本実施例では、パネル本体１を複数に分割しているが、この分割例は一例である。また、本発明の実施に際して、マット本体１は分割しなくても良い。
【図面の簡単な説明】
【００１８】
【図１】マット本体の平面図
【図２】（Ａ）は６０６ｍｍ幅の横行部マット板の説明図  （Ｂ）は３０３ｍｍ幅の横行部マット板の説明図
【図３】（Ａ）は６０６ｍｍ幅の直線部マット板の説明図  （Ｂ）は３０３ｍｍ幅のマット板の説明図
【図４】（Ａ）は６０６ｍｍ幅の渡り部マット板の説明図  （Ｂ）は３０３ｍｍ幅の渡り部マット板の説明図
【図５】ヘッダー部マット板の説明図
【図６】（Ａ）は長尺小根太の説明図  （Ｂ）は中尺小根太の説明図  （Ｃ）は短尺小根太の説明図
【図７】Ａ−Ａ線断面図
【図８】上下に２枚のマットを継いで敷設した例の説明図
【図９】側方に２枚のマットを継いで敷設した例の説明図
【図１０】温水パイプを２本用いた従来の温水マットの説明図
【図１１】図１０の温水マットを２枚横に並べ、後付け小根太を用いる従来の施工例の説明図
【図１２】温水パイプを１本用いた従来の温水マットの説明図
【図１３】図１２の温水マットを横に２枚並べて後付け小根太を用いる従来の施工例の説明図
【符号の説明】
【００１９】
１  マット本体
２  横行部マット板
３  直線部マット板
４  渡り部マット板
５  ヘッダー部マット板
６、６ａ、６ｂ  小根太
７、７ａ  温水パイプ
【図１】
2005291681.tif 000003
【図２】
2005291681.tif 000004
【図３】
2005291681.tif 000005
【図４】
2005291681.tif 000006
【図５】
2005291681.tif 000007
【図６】
2005291681.tif 000008
【図７】
2005291681.tif 000009
【図８】
2005291681.tif 000010
【図９】
2005291681.tif 000011
【図１０】
2005291681.tif 000012
【図１１】
2005291681.tif 000013
【図１２】
2005291681.tif 000014
【図１３】
2005291681.tif 000015